(57)【要約】【課題】  ディジタルＴＶ放送信号受信装置において、ディジタルＴＶ放送信号を正確に受信できる受信方向を各チャンネルの最適な受信方向として決定する。【解決手段】  ディジタルＴＶ放送信号受信装置は、多指向性アンテナの全ての受信方向を連続的にスキャンし（Ｓ１）、受信したディジタルＴＶ放送信号を復調してＢＥＲ値を検出し（Ｓ２）、検出されたＢＥＲ値をメモリ内に記憶する（Ｓ３）。そして、全ての受信方向の中で、ＢＥＲ値が最小となるエラー最小方向を検出してエラー最小方向が複数方向あるか否か判断し（Ｓ４）、エラー最小方向が複数方向ある場合には（Ｓ４でＹＥＳ）、これら各エラー最小方向に隣接する受信方向のＢＥＲ値を参照して各チャンネルの最適な受信方向を決定する（Ｓ５〜Ｓ１０）。【選択図】  図４
2005341086.tif 000002
【特許請求の範囲】
【請求項１】
あらかじめ規格で定められている複数の受信方向を有する多指向性アンテナが接続され、前記複数の受信方向のうちのいずれか１つの受信方向のみを有効にして、テレビジョン放送信号を受信するディジタルテレビジョン放送信号受信装置において、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う放送信号受信手段と、
前記放送信号受信手段により受信されたテレビジョン放送信号を復調し、ＢＥＲ（Bit Error Rate）値を検出するエラー検出手段と、
前記エラー検出手段により検出されたＢＥＲ値を一時的に記憶する記憶手段と、
前記記憶手段に記憶されたＢＥＲ値に基づいて、受信可能な各チャンネルについての最適な受信方向を決定する受信方向決定手段とを備え、
前記受信方向決定手段により、あるチャンネルについて最適な受信方向を決定する際に、
前記制御信号出力手段は、前記多指向性アンテナの全ての受信方向を連続的にスキャンするために、前記多指向性アンテナに対して前記制御信号を連続的に出力し、
前記エラー検出手段は、スキャンされた各受信方向についてＢＥＲ値を検出し、検出したＢＥＲ値を前記記憶手段に記憶し、
前記受信方向決定手段は、
前記記憶手段に記憶されたＢＥＲ値に基づいて、前記全ての受信方向の中でＢＥＲ値が最小となるエラー最小方向を検出してエラー最小方向が複数方向あるか否か判断し、
前記エラー最小方向が１方向のときは、この方向を前記チャンネルの最適な受信方向として決定し、
前記エラー最小方向が複数方向のときは、これら複数のエラー最小方向が隣接するか否か判断し、複数のエラー最小方向が隣接しないときは、各エラー最小方向に隣接する受信方向のＢＥＲ値を比較し、より小さいＢＥＲ値を示す受信方向に隣接するエラー最小方向を前記チャンネルの受信方向として決定し、
前記複数のエラー最小方向が隣接するときは、更に、これら複数のエラー最小方向が偶数方向あるか、又は奇数方向あるか判断し、
前記複数のエラー最小方向が奇数方向あるときは、これらのエラー最小方向の中で、中央に位置するエラー最小方向を前記チャンネルの受信方向として決定し、
前記複数のエラー最小方向が偶数方向あるときは、各エラー最小方向に隣接するエラー最小方向以外の受信方向のＢＥＲ値を比較し、より小さいＢＥＲ値を示す受信方向に近い側の中央に位置するエラー最小方向を前記チャンネルの受信方向として決定すること特徴とするディジタルテレビジョン放送信号受信装置。
【請求項２】
あらかじめ規格で定められている複数の受信方向を有する多指向性アンテナが接続され、前記複数の受信方向のうちのいずれか１つの受信方向のみを有効にして、テレビジョン放送信号を受信するディジタルテレビジョン放送信号受信装置において、
受信可能なチャンネルについて最適な受信方向を決定する際に、前記多指向性アンテナの全ての受信方向を連続的にスキャンし、スキャンされた各受信方向についてＢＥＲ（Bit Error Rate）値を検出して記憶し、前記全ての受信方向の中でＢＥＲ値が最小となるエラー最小方向を前記チャンネルの最適な受信方向として決定することを特徴とするディジタルテレビジョン放送信号受信装置。
【請求項３】
前記エラー最小方向が複数方向ある場合に、これら各エラー最小方向に隣接する受信方向のＢＥＲ値を参照して、前記チャンネルの最適な受信方向を決定することを特徴とする請求項２に記載のディジタルテレビジョン放送信号受信装置。
【発明の詳細な説明】
【技術分野】
【０００１】
本発明は、例えばＡＴＳＣなどのディジタルテレビジョン（ＴＶ）放送信号を受信するためのディジタルテレビジョン放送信号受信装置に関する。
【背景技術】
【０００２】
ＡＴＳＣディジタルテレビジョン放送（以下、ＴＶ放送と略称する）が行われている北米大陸では、平野部に大都市が点在するため、各都市の近郊で放送されているディジタルＴＶ放送信号を他の都市や、その中間地点で受信することが可能である。ディジタルＴＶ放送信号を受信するユーザ側から見ると、様々な方向からディジタルＴＶ放送信号が送信されてくるため、自分の見たい番組が放送されている放送局の方向にアンテナの向きを調節する必要がある。そこで、スマートアンテナなど多指向性アンテナが実用化されつつある。
【０００３】
ＥＩＡ−９０９規格によれば、スマートアンテナは円を１６分割した各方向に受信方向を有すると規定されている。ディジタルＴＶ放送信号を受信するディジタルＴＶ放送信号受信装置としては、ＥＩＡ−９０９規格に準拠して１６方向の全てに対して多指向性アンテナの受信方向を調節できるように設定されている。
【０００４】
このようなディジタルＴＶ放送信号受信装置には、ユーザが選択したチャンネルのディジタルＴＶ放送信号を最も状態良く受信できるアンテナの方向を選択するオートスキャン機能が備えられているものも存在する。通常、放送局側のアンテナ、すなわち送信塔の位置は変化しないので、各チャンネルごとに１６方向についてスキャンを行い、最も受信状態の良い方向をそのチャンネルの受信方向に設定すればよい。ところが、米国などでは、比較的容易に放送局が新規開業する一方、放送局が倒産することもあり得る。そのため、従来受信できなかったチャンネルが新たに受信できるようになったり、従来受信できていたチャンネルが受信できなくなったりすることがある。さらに、高層ビルの建設によってディジタルＴＶ放送信号の受信状態が変化することもあり得る。そのため、必要に応じてユーザが選択したチャンネルについて最適な受信方向を設定し直す必要がある場合もあり得る。
【０００５】
従来のディジタルＴＶ放送信号受信装置においては、各チャンネルについて受信したディジタルＴＶ放送信号の信号受信強度の最も高い方向を、そのチャンネルの受信状態の最も良い方向とすることが一般的であった。なお、このように信号の受信強度を利用してアンテナの受信方向を決定するものとして、衛星を自動的に追尾するアンテナの制御方法が知られている（例えば、特許文献１参照）。
【特許文献１】特開平７−７４４２号公報
【発明の開示】
【発明が解決しようとする課題】
【０００６】
ところが、高層ビルなどの巨大構造物が受信アンテナの付近に存在する場合、ある受信方向における送信塔から直接送信されるディジタルＴＶ放送信号に巨大構造物によって反射されたディジタルＴＶ放送信号（反射波）が重畳され、反射波がなければ本来最適な受信方向であるべき他の受信方向における送信塔から直接送信されるディジタルＴＶ放送信号よりも高くなる場合もあり得る。そのような場合に、信号受信強度が最大の方向をそのチャンネルについての最適受信方向とすると、送信塔から直接送信されるディジタルＴＶ放送信号に反射されたディジタルＴＶ放送信号が重畳されているので、いわゆるマルチパスの影響によりディジタルＴＶ放送信号が劣化している場合がある。通常、ディジタルＴＶ放送信号受信装置はエラー訂正機能を有するので、ディジタルＴＶ放送信号の伝送中に生じるディジタルＴＶ放送信号のエラーはある程度訂正されるが、ディジタルＴＶ放送信号の劣化が激しい場合には訂正できない場合もある。また、ディジタルＴＶ放送においては、ディジタルＴＶ放送信号をエラーなく正確に受信できれば、受信強度は特に問題とはならないので、必ずしもディジタルＴＶ放送信号の信号受信強度の最も高い方向が、ディジタルＴＶ放送信号の劣化を防いでディジタルＴＶ放送信号を正確に受信できる最適な受信方向であるとはいえない。
【０００７】
本発明は、上記の問題を解決するためになされたものであり、ディジタルＴＶ放送受信装置に多指向性アンテナが接続されたときに、マルチパス等の影響によるディジタルＴＶ放送信号の劣化を防いでディジタルＴＶ放送信号を正確に受信することができる受信方向を、各チャンネルの最適な受信方向として決定し得るディジタルＴＶ放送信号受信装置を提供することを目的とする。
【課題を解決するための手段】
【０００８】
上記目的を達成するために請求項１の発明は、あらかじめ規格で定められている複数の受信方向を有する多指向性アンテナが接続され、前記複数の受信方向のうちのいずれか１つの受信方向のみを有効にして、テレビジョン放送信号を受信するディジタルテレビジョン放送信号受信装置において、前記多指向性アンテナに対して、テレビジョン放送信号を受信するための受信方向を指示するための制御信号を出力する制御信号出力手段と、前記多指向性アンテナが接続され、テレビジョン放送信号の受信を行う放送信号受信手段と、前記放送信号受信手段により受信されたテレビジョン放送信号を復調し、ＢＥＲ（Bit Error Rate）値を検出するエラー検出手段と、前記エラー検出手段により検出されたＢＥＲ値を一時的に記憶する記憶手段と、前記記憶手段に記憶されたＢＥＲ値に基づいて、受信可能な各チャンネルについての最適な受信方向を決定する受信方向決定手段とを備え、前記受信方向決定手段により、あるチャンネルについて最適な受信方向を決定する際に、前記制御信号出力手段は、前記多指向性アンテナの全ての受信方向を連続的にスキャンするために、前記多指向性アンテナに対して前記制御信号を連続的に出力し、前記エラー検出手段は、スキャンされた各受信方向についてＢＥＲ値を検出し、検出したＢＥＲ値を前記記憶手段に記憶し、前記受信方向決定手段は、前記記憶手段に記憶されたＢＥＲ値に基づいて、前記全ての受信方向の中でＢＥＲ値が最小となるエラー最小方向を検出してエラー最小方向が複数方向あるか否か判断し、前記エラー最小方向が１方向のときは、この方向を前記チャンネルの最適な受信方向として決定し、前記エラー最小方向が複数方向のときは、これら複数のエラー最小方向が隣接するか否か判断し、複数のエラー最小方向が隣接しないときは、各エラー最小方向に隣接する受信方向のＢＥＲ値を比較し、より小さいＢＥＲ値を示す受信方向に隣接するエラー最小方向を前記チャンネルの受信方向として決定し、前記複数のエラー最小方向が隣接するときは、更に、これら複数のエラー最小方向が偶数方向あるか、又は奇数方向あるか判断し、前記複数のエラー最小方向が奇数方向あるときは、これらのエラー最小方向の中で、中央に位置するエラー最小方向を前記チャンネルの受信方向として決定し、前記複数のエラー最小方向が偶数方向あるときは、各エラー最小方向に隣接するエラー最小方向以外の受信方向のＢＥＲ値を比較し、より小さいＢＥＲ値を示す受信方向に近い側の中央に位置するエラー最小方向を前記チャンネルの受信方向として決定すること特徴とする。
【０００９】
請求項２の発明は、あらかじめ規格で定められている複数の受信方向を有する多指向性アンテナが接続され、前記複数の受信方向のうちのいずれか１つの受信方向のみを有効にして、テレビジョン放送信号を受信するディジタルテレビジョン放送信号受信装置において、受信可能なチャンネルについて最適な受信方向を決定する際に、前記多指向性アンテナの全ての受信方向を連続的にスキャンし、スキャンされた各受信方向についてＢＥＲ（Bit Error Rate）値を検出して記憶し、前記全ての受信方向の中でＢＥＲ値が最小となるエラー最小方向を前記チャンネルの最適な受信方向として決定することを特徴とする。
【００１０】
請求項３の発明は、請求項２のディジタルテレビジョン放送信号受信装置において、前記エラー最小方向が複数方向ある場合に、これら各エラー最小方向に隣接する受信方向のＢＥＲ値を参照して、前記チャンネルの最適な受信方向を決定することを特徴とする。
【発明の効果】
【００１１】
請求項１の発明によれば、ＢＥＲ値が最小となるエラー最小方向を、各チャンネルの最適な受信方向として決定するので、ディジタルＴＶ放送信号の受信強度に基づいて受信方向を決定する場合と比較して、マルチパス等の影響によるディジタルＴＶ放送信号の劣化を防いでディジタルＴＶ放送信号を正確に受信することができる受信方向を、各チャンネルの最適な受信方向として決定することができる。また、エラー最小方向が複数方向ある場合に、これら各エラー最小方向に隣接する受信方向のＢＥＲ値を上述のように参照して各チャンネルの最適な受信方向を決定するようにしたので、例えば、風などによってアンテナが多少ずれた場合であっても、良好な受信状態を維持することができる受信方向を、各チャンネルの最適な受信方向として決定することができる。
【００１２】
請求項２の発明によれば、ＢＥＲ値が最小となるエラー最小方向をチャンネルの最適な受信方向として決定するので、マルチパス等の影響によるディジタルＴＶ放送信号の劣化を防いでディジタルＴＶ放送信号を正確に受信することができる受信方向を、各チャンネルの最適な受信方向として決定することができる。
【００１３】
請求項３の発明によれば、エラー最小方向が複数方向ある場合に、これら各エラー最小方向に隣接する受信方向のＢＥＲ値を参照して各チャンネルの最適な受信方向を決定するようにしたので、アンテナが多少ずれた場合であっても、良好な受信状態を維持することができる受信方向を、各チャンネルの最適な受信方向として決定することができる。
【発明を実施するための最良の形態】
【００１４】
本発明の一実施の形態に係るディジタルＴＶ放送信号受信装置について説明する。ユーザが家庭においてディジタルＴＶ放送信号を受信する状況を図１に示す。ディジタル（地上波）ＴＶ放送が行われている地域では、受信したディジタルＴＶ放送信号の強度が一定の閾値以上であれば、エラー訂正などにより一定の画質の画像が得られる。そのため、図１に示すように、Ａ地域、Ｂ地域、Ｃ地域など複数箇所に点在する放送局から送信されてくるディジタルＴＶ放送信号を受信して、ＴＶ番組を視聴することができる。このような状況に対応して、複数の受信方向を有するスマートアンテナと呼ばれる多指向性アンテナが実用化されている。
【００１５】
多指向性アンテナには、モータでアンテナを回転させて受信方向を切り換えるタイプや、複数のアンテナを有し、電子スイッチのオン／オフにより有効なアンテナの方向を切り換えるタイプなど、様々な構造が考えられる。また、多指向性アンテナの受信方向の数も、ＥＩＡ−９０９規格によれば、１６方向と規定されているが、ユーザのニーズや価格などを考慮して８方向や４方向などの簡易型のものも考えられる。
【００１６】
本実施の形態に係るディジタルＴＶ放送信号受信装置１の構成を図２に示す。ディジタルＴＶ放送信号受信装置１は、多指向性アンテナ２に接続され、チューナ１１と、ＡＴＳＣフロントエンド１２と、ＮＴＳＣデコーダ１３と、ＭＰＥＧデコーダ１４と、オンスクリーンディスプレイ部（ＯＳＤ）１５と、制御部（ＣＰＵ）１６と、メモリ１７とを備えている。
【００１７】
チューナ１１は、指定された周波数の信号を選局して受信する放送信号受信手段として機能すると共に、受信したディジタルＴＶ放送信号を復調し、ＢＥＲ（Bit Error Rate）値を検出するエラー検出手段としても機能する。
【００１８】
ＡＴＳＣフロントエンド１２は、チューナ１１で受信したディジタルＴＶ放送信号に対して所定の信号処理を行い、復号化する。ＮＴＳＣデコーダ１３は、チューナ１１で受信したアナログＴＶ放送信号を復号化する。ＭＰＥＧデコーダ１４は、ＭＰＥＧ圧縮されていたディジタルＴＶ放送信号をデコードする。ＭＰＥＧデコーダ１４によりデコードされたディジタルＴＶ放送信号は、オンスクリーンディスプレイ部１５を介してモニタ装置３に出力され、表示される。オンスクリーンディスプレイ部１５は、デコードされたディジタルＴＶ放送信号に所定の表示画像を重畳させる。
【００１９】
制御部１６は、チューナ１１により受信したディジタルＴＶ放送信号の受信状態を検知し、多指向性アンテナ２の制御ユニット２１に制御信号を出力して多指向性アンテナ２の受信方向を制御する制御信号出力手段として機能すると共に、後述する受信方向決定処理を行うことにより、メモリ１７に記憶されたＢＥＲ値に基づいて、受信可能な各チャンネルについての最適な受信方向を決定する受信方向決定手段として機能する。また、制御部１６は、ＡＴＳＣフロントエンド１２やＮＴＳＣデコーダ１３等、ディジタルＴＶ放送信号受信装置１全体を制御する。
【００２０】
メモリ１７は、チューナ１１により検出されたＢＥＲ値を一時的に記憶する記憶手段として機能する。また、メモリ１７は、デコードされたディジタルＴＶ放送信号を一時的に記憶する他、デコードされたディジタルＴＶ放送信号に重畳させる表示画像を記憶する。なお、ディジタルＴＶ放送では、ユーザ側のディジタルＴＶ放送信号受信装置１から放送局に向けてデータの送信が可能であるが、本発明とは直接関係がないので、その説明を省略する。
【００２１】
多指向性アンテナ２の制御ユニット２１は、制御部１６からの制御信号に応じて、多指向性アンテナ２の複数ある受信方向のうち、指示された方向のみを有効にする。多指向性アンテナ２がモータでアンテナを回転させて受信方向を切り換えるタイプである場合、制御ユニット２１はモータの回転を制御して、アンテナを指示された方向に向ける。一方、多指向性アンテナ２が電子スイッチのオン／オフにより有効なアンテナの方向を切り換えるタイプである場合、指示された方向のアンテナに接続された電子スイッチのみをオンし、その他の電子スイッチをオフする。
【００２２】
図３に、多指向性アンテナ２の受信方向を示す。本実施の形態に係るディジタルＴＶ放送信号受信装置１は、この多指向性アンテナ２が接続されたときに、規格で定められている１６の受信方向Ｄ００〜Ｄ１５のそれぞれについてディジタルＴＶ放送信号の受信を行い、受信状態を測定する。
【００２３】
次に、ディジタルＴＶ放送信号受信装置１の制御部１６による受信方向決定処理について、図４のフローチャート及び図５を参照しつつ説明する。ディジタルＴＶ放送信号受信装置１は、制御部１６の制御のもと、受信可能なチャンネルＸについて、多指向性アンテナ２の全ての受信方向を連続的にスキャンし（Ｓ１）、受信したディジタルＴＶ放送信号を復調してＢＥＲ値を検出し（Ｓ２）、検出されたＢＥＲ値をメモリ１７内に記憶する（Ｓ３）。そして、制御部１６は、全ての受信方向Ｄ００〜Ｄ１５の中で、ＢＥＲ値が最小となるエラー最小方向を検出してエラー最小方向が複数方向あるか否か判断する（Ｓ４）。
【００２４】
以下、図５に示される、メモリ１７内に記憶された各チャンネルのＢＥＲ値の例に基づいて、Ｓ４以降の受信方向決定処理について説明する。なお、図５において、ＢＥＲ値が１×１０−２以上となる場合を”−”で示している。ＢＥＲ値が少なくとも３×１０−６以下であれば、エラー訂正などにより一定の画質の画像が得られる。
【００２５】
まず、２チャンネル（以下、２チャンネル乃至８チャンネルをそれぞれ２ｃｈ，４ｃｈ，６ｃｈ及び８ｃｈと略称する）について説明する。制御部１６は上記Ｓ１〜Ｓ３の処理をし、ＢＥＲ値が最小となるエラー最小方向を検出して、エラー最小方向が複数方向あるか否か判断する（Ｓ４）。２ｃｈの場合には、エラー最小方向（ここでは、ＢＥＲ値が０となる受信方向）は、受信方向Ｄ０１のみなので（Ｓ４でＮＯ）、この受信方向Ｄ０１を、２ｃｈを受信する際の最適な受信方向として決定する（Ｓ５）。
【００２６】
次に、４ｃｈの場合について説明する。制御部１６は上記Ｓ１〜Ｓ３の処理をし、エラー最小方向を検出して、エラー最小方向が複数方向あるか否か判断する（Ｓ４）。４ｃｈの場合には、受信方向Ｄ０４及び受信方向Ｄ０６でＢＥＲ値が０となり、エラー最小方向が複数存在するので（Ｓ４でＹＥＳ）、更に、これら複数のエラー最小方向が隣接するか否かが判断される（Ｓ６）。この場合、受信方向Ｄ０４と受信方向Ｄ０６は、隣接しないので（Ｓ６でＮＯ）、受信方向Ｄ４に隣接する受信方向Ｄ３及び受信方向Ｄ５のＢＥＲ値の合計値と、受信方向Ｄ６に隣接する受信方向Ｄ５及び受信方向Ｄ７のＢＥＲ値の合計値を比較し、合計値が小さくなる方に隣接する受信方向Ｄ４を、４ｃｈを受信する際の最適な受信方向として決定する（Ｓ７）。
【００２７】
次に、６ｃｈの場合について説明する。制御部１６は上記Ｓ１〜Ｓ３の処理をし、エラー最小方向を検出して、エラー最小方向が複数方向あるか否か判断する（Ｓ４）。６ｃｈの場合には、受信方向Ｄ０８、受信方向Ｄ０９及び受信方向Ｄ１０でＢＥＲ値が０となり、エラー最小方向が複数存在するので（Ｓ４でＹＥＳ）、更に、これら複数のエラー最小方向が隣接するか否かが判断される（Ｓ６）。この場合、受信方向Ｄ０８乃至受信方向Ｄ０９は隣接するので（Ｓ６でＹＥＳ）、更に、これら複数のエラー最小方向が偶数方向あるか、又は奇数方向あるかが判断される（Ｓ８）。６ｃｈの場合、エラー最小方向は受信方向Ｄ０８、受信方向Ｄ０９及び受信方向Ｄ１０の奇数方向存在するので（Ｓ８でＮＯ）、これらのエラー最小方向Ｄ０８乃至受信方向Ｄ１０の中で、中央に位置する受信方向Ｄ０９を６ｃｈを受信する際の最適な受信方向として決定する（Ｓ９）。
【００２８】
次に、８ｃｈの場合について説明する。制御部１６は上記Ｓ１〜Ｓ３の処理をし、エラー最小方向を検出して、エラー最小方向が複数方向あるか否か判断する（Ｓ４）。８ｃｈの場合には、受信方向Ｄ１０乃至受信方向Ｄ１３でＢＥＲ値が０となり、エラー最小方向が複数存在するので（Ｓ４でＹＥＳ）、これら複数のエラー最小方向が隣接するか否かが判断される（Ｓ６）。この場合、受信方向Ｄ１０乃至受信方向Ｄ１３は隣接するので（Ｓ６でＹＥＳ）、更に、これら複数のエラー最小方向が偶数方向あるか、又は奇数方向あるかが判断される（Ｓ８）。８ｃｈの場合、エラー最小方向は受信方向Ｄ１０、受信方向Ｄ１１、受信方向Ｄ１２及び受信方向Ｄ１３の偶数方向存在するので（Ｓ８でＹＥＳ）、各エラー最小方向Ｄ１０〜Ｄ１３に隣接するエラー最小方向以外の受信方向のＢＥＲ値を比較し、より小さいＢＥＲ値を示す受信方向に近い側の中央に位置するエラー最小方向を８ｃｈの最適な受信方向として決定する（Ｓ１０）。ここで、各エラー最小方向に隣接するエラー最小方向以外の受信方向は、受信方向Ｄ１０については受信方向Ｄ０９、受信方向Ｄ１１及び受信方向Ｄ１２については存在せず、受信方向Ｄ１３については受信方向Ｄ１４となり、この場合、受信方向Ｄ０９及び受信方向Ｄ１４のＢＥＲ値を比較することになる。また、中央に位置するエラー最小方向には、受信方向Ｄ１０、受信方向Ｄ１１、受信方向Ｄ１２及び受信方向Ｄ１３の中で、中央に位置する受信方向Ｄ１１及び受信方向Ｄ１２が該当する。従って、これら受信方向Ｄ１１及び受信方向Ｄ１２のうち、受信方向Ｄ０９及び受信方向Ｄ１４のＢＥＲ値を比較して、より小さいＢＥＲ値を示す受信方向Ｄ９に近い側の受信方向Ｄ１２が、８ｃｈを受信する際の最適な受信方向となる。
【００２９】
なお、上記のようにして決定された各チャンネルについての最適な受信方向は、メモリ１７内に記憶され、ユーザがあるチャンネルを選択すると、そのチャンネルの最適な受信方向がメモリ１７から読み出され、読み出された受信方向に対応する制御信号が制御部１６から制御ユニット２１に出力される。
【００３０】
このように、本実施形態のディジタルＴＶ放送信号受信装置１によれば、ＢＥＲ値が最小となるエラー最小方向をチャンネルの最適な受信方向として決定するので、ディジタルＴＶ放送信号の受信強度に基づいて受信方向を決定する場合と比較して、マルチパス等の影響によるディジタルＴＶ放送信号の劣化を防いでディジタルＴＶ放送信号を正確に受信することができる受信方向を、各チャンネルの最適な受信方向として決定することができる。また、エラー最小方向が複数方向ある場合に、これら各エラー最小方向に隣接する受信方向のＢＥＲ値を上述のように参照して各チャンネルの最適な受信方向を決定するようにしたので、例えば、風などによって多指向性アンテナ２が多少ずれた場合であっても、良好な受信状態を維持することができる受信方向を、各チャンネルの最適な受信方向として決定することができる。
【００３１】
なお、本発明は上記実施形態の構成に限られることなく種々の変形が可能である。例えば、エラー最小方向が複数方向ある場合の受信方向決定処理は、上記処理手順に限られず、少なくとも、各エラー最小方向に隣接する受信方向のＢＥＲ値を参照して、各チャンネルの最適な受信方向を決定するものであればよい。
【図面の簡単な説明】
【００３２】
【図１】ユーザが家庭においてディジタルテレビジョン（ＴＶ）放送信号を受信する状況を示す概念図。
【図２】本発明の一実施の形態に係るディジタルＴＶ放送信号受信装置の構成を示すブロック図。
【図３】同受信装置に接続される多指向性アンテナの受信方向を示す図。
【図４】同受信装置の受信方向決定処理を示すフローチャート。
【図５】同受信装置のメモリに記憶される各チャンネルのＢＥＲ値を示す図。
【符号の説明】
【００３３】
１    ディジタルＴＶ放送信号受信装置
２    多指向性アンテナ（スマートアンテナ）
３    モニタ装置
１１  チューナ（放送信号受信手段、エラー検出手段）
１２  ＡＴＳＣフロントエンド
１３  ＮＴＳＣデコーダ
１４  ＭＰＥＧデコーダ
１５  オンスクリーンディスプレイ部
１６  制御部（制御信号出力手段、受信方向決定手段）
１７  メモリ（記憶手段）
２１  制御ユニット
【図１】
2005341086.tif 000003
【図２】
2005341086.tif 000004
【図３】
2005341086.tif 000005
【図４】
2005341086.tif 000006
【図５】
2005341086.tif 000007